【事件の表示】
　特願２００６−１４７９９５「遊技機」拒絶査定不服審判事件〔平成１９年１２月　６日出願公開、特開２００７−３１３１６５〕について、次のとおり審決する。
【結　論】
　本件審判の請求は、成り立たない。
【理　由】
第一．手続の経緯
　本願は、平成１８年５月２９日の出願であって、最初の拒絶理由通知に対応して平成２１年６月３日に手続補正書が提出され、その後なされた拒絶査定に対し、平成２２年２月１日に拒絶査定不服審判が請求されるとともに、手続補正がなされた。
　審判合議体は、平成２２年８月３１日付けで審査官による前置報告書の内容を添付して審尋を行い、請求人から同年１１月４日に回答書が提出された。
　そして、審判合議体によって平成２３年２月１８日付けで、平成２２年２月１日付けの手続補正が却下されるとともに拒絶理由が通知され、これに対して平成２３年４月２１日に手続補正がなされた。
　
第二．本願発明
　本願の請求項１に係る発明（以下「本願発明」という。）は、平成２３年４月２１日付け手続補正書の特許請求の範囲の請求項１に記載された事項により特定される、以下のとおりのものである。
「　左右一端側のヒンジにより筐体に開閉自在に装着された前面パネルを備え、該前面パネルの前面の上部に第１表示窓を、該第１表示窓の下側で前記前面パネルの上下中央の上側近傍に該第１表示窓よりも大きい第２表示窓を夫々を配置し、前記前面パネルの上部の前記第１表示窓の左右両側に上スピーカを、前記前面パネルの下部の左右両側に下スピーカを夫々配置し、演出画像を表示する表示手段を前記第２表示窓に対応して前記前面パネルの裏面に装着し、前記筐体内に前記表示手段の後方に略対応して主制御基板を備えた遊技機において、前記主制御基板からのコマンドにより、遊技状態に応じて前記表示手段の演出画像、前記スピーカの効果音を制御する演出制御基板を前記表示手段の裏面に装着し、前記前面パネルの前記ヒンジ側の一側縁と前記表示手段との間で前記前面パネルの裏面に形成された縦長状の配置部位に、前記演出制御基板の上下幅内に収まる縦長状の中継基板を設け、該中継基板の裏側に、左右方向に配置されたハーネスを介して前記演出制御基板に接続されたコネクタを上下方向の中間に、その上下両側にスピーカ用コネクタを夫々設け、前記中継基板の上下両側に前記ヒンジ側の一側縁に沿って前記前面パネルの裏面に配置されたスピーカ用のハーネスの内、前記上スピーカ用のハーネスを前記中継基板の上側の前記コネクタに、前記下スピーカ用のハーネスを前記中継基板の下側の前記コネクタに夫々接続したことを特徴とする遊技機。」
　
第三．特許要件（特許法第２９条第２項）の検討
１．引用刊行物記載事項
　審判合議体が通知した拒絶理由に引用された特開２００６−３４４３９号公報（以下「引用文献Ａ」という。）には以下の事項が記載されている。
　
【００１９】　図１において、本スロットマシン１００は、遊技者に面するフロントドア１０１と、フロントドア１０１が開閉可能に取り付けられた後述の筐体１０２とを備えて構成されている。フロントドア１０１は、上部パネル部１０３と中部パネル１０４と下部パネル部１０５とを備え、全体的に金属製のフレーム（図示略）と硬質プラスチックで成形された前面パネルとで形成されることによって、機械的に強固な構造を有している。
　上部パネル部は１０３には、上部ランプと呼ばれる演出用ランプ１０３ａと、スピーカが取り付けられた放音部１０３ｂ、１０３ｃと、液晶ディスプレイ等で形成された映像表示部１０３ｄとが設けられている。
【００２０】　中部パネル部１０４には、複数個（本実施形態では３個）の回胴リールＲ１，Ｒ２，Ｒ３を備えた回胴リール装置２００が設けられる。なお、回胴リールＲ１，Ｒ２，Ｒ３の前面には、透明な硬質プラスチック板で形成された略長方形の透過窓ＷＤが設けられ、これによって回胴リール装置２００を外部から保護すると共に、遊技者が透過窓ＷＤを介して回胴リールＲ１，Ｒ２，Ｒ３を見ることが可能となっている。
【００２５】　次に、図２を参照して、フロントドア１０１の裏面構造と、筐体１０２の内部構造を概説する。なお、図３はフロントドア１０１を開錠して筐体１０２から開いた状態を表している。同図において、フロントドア１０１の裏面上部に、上述の放音部１０３ｂ，１０３ｃを構成するスピーカＳＲ１，ＳＬ２（図示しない）が設けられると共に、演出表示装置１０３ｂの裏面側にサブ制御基板３００が取り付けられている。
【００２８】　筐体１０２内には、主電源装置ＰＷＵと、ホッパ装置ＨＰから溢れた遊技メダルを収容するための補助貯留部ＳＨＰと、状述の透過窓ＷＤに対向する回胴リールＲ１，Ｒ２，Ｒ３を備えた回胴リール装置２００、回胴リール装置２００の上方に主制御基板７００、筐体１０２の内壁の一端に外部集中端子装置としての外部集中基板８００が夫々取り付けられている。
【００４０】　また、回胴装置基板９００は、主制御基板７００から各回転リールＲ１，Ｒ２，Ｒ３を停止させるべき制御信号が供給されると、ステッピングモータＭＲ１，ＭＲ２，ＭＲ３をそれぞれ制動制御し、所定の停止時間内に各回転リールＲ１，Ｒ２，Ｒ３を停止させる。
　サブ制御基板３００は、演出用の上部ランプ１０３ａと、スピーカＳＲ１，ＳＲ２，ＳＷ１，ＳＷ２が接続され、主制御基板７００から演出開始を示唆する制御信号が供給されると、これらの演出用の上部ランプ１０３ａ及びスピーカＳＲ１，ＳＲ２，ＳＷ１，ＳＷ２を駆動することによって、遊技者の視覚と聴覚に訴える演出を行う。
【００４１】　更に、サブ制御基板３００は、映像表示制御基板６００が接続され、主制御基板７００から上述の演出開始を示唆する制御信号が供給されると、該当する動画像を表示させるための映像信号を生成し、映像表示部１０３ｄに出力する。映像表示部１０３ｄは、その供給された映像信号に基づく動画像を表示することにより、遊技者の視覚に訴える演出を行うようになっている。
【００４５】　次に、本発明に係るサウンド回路を図４に示されるブロック図を参照して説明する。なお、本サウンド回路は、演出用の音楽等がデジタル化された音源データを音声信号に復調及び増幅する音源部１１０と、復調された音声信号をスピーカ（ＳＲ１，ＳＲ２，ＳＷ１，ＳＷ２）へ出力するための中継回路としての出力段部１２０とを備えて構成され、上述したサブ制御基板３００に回路形成されている。
　音源部１１０は、情報記憶媒体（又は情報記録媒体）としてのＲＯＭ（Read Only Memory）１１１と、復調回路１１２と、Ｄ／Ａ変換器１１３，１１４と、オーディオ増幅器１１５，１１６を備えて構成されている。
【００４８】　次に、出力段部１２０は、増幅された左右それぞれの信号Ｓｒ，Ｓ１の低音域周波数成分をカットするハイパスフィルタ１２１，１２２を備えている。
　ハイパスフィルタ１２１は、前段のオーディオ増幅器１１５が出力する右用の音声信号Ｓｒｆをハイパスフィルタリング処理し、低音域周波数成分がカットされた音声信号Ｓｒｈとして接続端子１３１へ出力する。
【００４９】　また、ハイパスフィルタ１２２は、前段のオーディオ増幅器１１６が出力する左用の音声信号Ｓｌｆをハイパスフィルタリング処理し、低音域周波数成分がカットされた音声信号Ｓｌｈとして接続端子１３３へ出力する。
　更に、出力段部１２０において、オーディオ増幅器１１５が出力する右用のフルレンジの音声信号Ｓｒｆを接続端子１３２へ供給するための配線経路１２３と、オーディオ増幅器１１６が出力する左用のフルレンジの音声信号Ｓｌｆを接続端子１３４へ供給するための配線経路１２４とが形成されている。
【００５０】　次に、上述したスロットマシン１００に、本サウンド回路を搭載した場合の動作例を図５を参照して説明する。ここで、図５は、スロットマシン１００に取り付けられている４個のスピーカＳＲ１，ＳＲ２，ＳＷ１，ＳＷ２が本サウンド回路に接続された回路構成を表すブロック図である。
　なお、同図に示されるスピーカＳＲ１は、スロットマシン１００の上部パネル部１０３右側の放音部１０３ｃに、スピーカＳＲ２は、上部パネル部１０３左側の放音部１０３ｂに、スピーカＳＷ１は、下部パネル部１０５右側の放音部１０５ｃに、スピーカＳＷ２は、下部パネル部１０５左側の放音部１０５ｃにそれぞれ取り付けられているものである。そして、スピーカＳＲ１，ＳＲ２は、高音域に平坦な周波数特性を有するいわゆるツィータと呼ばれる高音域用スピーカであり、スピーカＳＷ１，ＳＷ２は、低音域から中音域まで比較的広帯域の周波数特性を重視して形成されたフルレンジ対応の広音域スピーカである。
【００５１】　図５において、スピーカＳＲ１は、本サウンド回路の接続端子１３１に接続されハイパスフィルタリングされた右用の音声信号Ｓｒｈが供給されて鳴動する。スピーカＳＷ１は、本サウンド回路１３２に接続され右用のフルレンジの音声信号Ｓｒｆが供給されて鳴動する。また、スピーカＳＲ２は、本サウンド回路の接続端子１３３が接続されハイパスフィルタリングされた左用の音声信号Ｓｌｈが供給されて鳴動し、スピーカＳＷ２は、接続端子１３４に接続された左用のフルレンジの音声信号Ｓｌｆが供給されて鳴動する。
　このように、各スピーカＳＲ１，ＳＲ２，ＳＷ１，ＳＷ２を本サウンド回路に接続することで、低音域から高音域にかけてほぼ平坦な周波数特性を有する遊技機における音響システムを実現することができる。
【００５８】　次に、基板側接続端子が縦横方向に配置されている場合の実施形態について説明する。接続端子１３１〜１３４は、図９に示されているように、サブ制御基板３００上において、相互に隣接して縦横（Ｙ軸方向、Ｘ軸方向）に配列された状態で設けられている。接続端子１３１〜１３４は、単一のブロックに形成され、相互に一体化された基板側接続部４Ｂを構成している。基板側接続部４Ｂは、ケーブル側接続具５が嵌合される嵌合部４１と、基板３００に固定されている本体４２とを有する。嵌合部４１の端面には、４つの孔４３１，４３２，４３３，４３４をそれぞれ有する接続端子（図９中では、接続端子１３１にのみ符号を付し、他は、省略している）が４つ、所定の間隙４４１、４４２を介して配されている。孔４３１，４３２，４３３，４３４内には、導電材が配され、挿入された電極ピンと接触して、通電可能となるように構成されている。
　上段でＸ軸方向に配置された２つの接続端子１３１，１３３は、スピーカＳＲ１，ＳＲ２にそれぞれ接続される端子であり、下段でＸ軸方向に配置された２つの接続端子１３２，１３４は、スピーカＳＷ１，ＳＷ２にそれぞれ接続される端子である。
　
　引用文献Ａにおける記載事項及び図面を総合的に勘案すれば、引用文献Ａには、次の発明（以下「引用発明」という。）が記載されている。
「　筐体１０２に開閉可能に取り付けられたフロントドア１０１は、上部パネル部１０３と中部パネル１０４と下部パネル部１０５とを備え、前記上部パネル部１０３には、スピーカＳＲ１，ＳＲ２が取り付けられた左側及び右側の放音部１０３ｂ、１０３ｃと、映像表示部１０３ｄとが設けられ、前記中部パネル部１０４には、３個の回胴リールＲ１，Ｒ２，Ｒ３を備えた回胴リール装置２００と、前記回胴リールＲ１，Ｒ２，Ｒ３の前面に形成された略長方形の透過窓ＷＤが設けられ、前記下部パネル部１０５には、スピーカＳＷ１，ＳＷ２が取り付けられた左側及び右側の放音部１０５ｃが設けられ、前記筐体１０２内に前記回胴リール装置２００の上方に主制御基板７００が取り付けられているスロットマシン１００において、
前記主制御基板７００から演出開始を示唆する制御信号が供給されると、該当する動画像を表示させるための映像信号を生成し、前記映像表示部１０３ｄに出力するとともに、前記スピーカＳＲ１，ＳＲ２，ＳＷ１，ＳＷ２を駆動するサブ制御基板３００を前記映像表示部１０３ｄの裏面側に取り付け、
前記サブ制御基板３００には、音源部１１０と、音声信号を前記スピーカＳＲ１，ＳＲ２，ＳＷ１，ＳＷ２へ出力するための中継回路としての出力段部１２０とを備えて構成されるサウンド回路が回路形成されており、
前記出力段部１２０は、音声信号Ｓｒｈ，Ｓｒｆ，Ｓｌｈ，Ｓｌｆを、それぞれ接続端子１３１，１３２，１３３，１３４へ出力し、上段に配置された前記接続端子１３１，１３３は、前記スピーカＳＲ１，ＳＲ２にそれぞれ接続され、下段に配置された前記接続端子１３２，１３４は、スピーカＳＷ１，ＳＷ２にそれぞれ接続されるスロットマシン１００。」
　
２．引用発明と本願発明との対比
　そこで、本願発明と引用発明とを比較すると、
　引用発明の「筐体１０２」は本願発明の「筐体」に相当し、以下同様に、
「フロントドア１０１」は「前面パネル」に、
「上部パネル部１０３と中部パネル１０４」は「前面パネルの上部」に、
「下部パネル部１０５」は「前面パネルの下部」に、
「スピーカＳＲ１，ＳＲ２」は「上スピーカ」に、
「映像表示部１０３ｄ」は「演出画像を表示する表示手段」に、
「略長方形の透過窓ＷＤ」は「第２表示窓」に、
「スピーカＳＷ１，ＳＷ２」は「下スピーカ」に、
「主制御基板７００」は「主制御基板」に、
「スロットマシン１００」は「遊技機」に、
「演出開始を示唆する制御信号」は「コマンド」に、
「サブ制御基板３００」は「演出制御基板」に、
「前記映像表示部１０３ｄの裏面側に取り付け」は「前記表示手段の裏面に装着し」に、
「接続端子１３１，１３２，１３３，１３４」は「スピーカ用コネクタ」に、
「上段に配置された前記接続端子１３１，１３３」は「上側の前記コネクタ」に、
「下段に配置された前記接続端子１３２，１３４」は「下側の前記コネクタ」に、それぞれ相当する。
　さらに、引用文献Ａの記載等からみて、以下のことがいえる。
　
ａ．引用文献Ａの【図２】からみて、引用発明の「フロントドア１０１」は左右一端側に設けられたヒンジにより、筐体１０２に開閉可能に取り付けられているものと認められる。
　また、引用発明の「映像表示部１０３ｄ」が設けられる「上部パネル部１０３」の前面にも「透過窓ＷＤ」と同様の「映像表示部用窓」が設けられていることは明らかである。
　そして、この「映像表示部用窓」は本願発明の「第１表示窓」に相当するとともに、「略長方形の透過窓ＷＤ」は「映像表示部用窓」の下側に配置されていることが引用文献Ａの【図１】から明らかである。
　さらに、引用文献Ａの【図１】及び【図２】からみて、引用発明の「略長方形の透過窓ＷＤ」は「フロントドア１０１」の上下中央の上側近傍に配置され、かつ、「映像表示部用窓」よりも大きいこと、引用発明の「スピーカＳＲ１，ＳＲ２」は「映像表示部１０３ｄ」の左右両側に夫々配置され、「映像表示部１０３ｄ」は「映像表示部用窓」に対応して「上部パネル部１０３」の裏面に装着されていること、及び引用発明の「主制御基板７００」は「映像表示部１０３ｄ」の後方に略対応して取り付けられていることが明らかである。
　よって、引用発明と本願発明は“左右一端側のヒンジにより筐体に開閉自在に装着された前面パネルを備え、該前面パネルの前面の上部に第１表示窓を、該第１表示窓の下側で前記前面パネルの上下中央の上側近傍に該第１表示窓よりも大きい第２表示窓を夫々を配置し、前記前面パネルの上部の前記第１表示窓の左右両側に上スピーカを、前記前面パネルの下部の左右両側に下スピーカを夫々配置し、演出画像を表示する表示手段を表示窓に対応して前記前面パネルの裏面に装着し、前記筐体内に前記表示手段の後方に略対応して主制御基板を備えた遊技機”である点で共通している。
　
ｂ．引用発明の「サブ制御基板３００」は、「前記主制御基板７００から演出開始を示唆する制御信号が供給されると、該当する動画像を表示させるための映像信号を生成し、前記映像表示部１０３ｄに出力するとともに、前記スピーカＳＲ１，ＳＲ２，ＳＷ１，ＳＷ２を駆動する」ものであるところ、その「該当する動画像」が遊技状態に応じた演出画像であること、並びに「前記スピーカＳＲ１，ＳＲ２，ＳＷ１，ＳＷ２」の駆動が遊技状態に応じて制御されることは当然のことである。
　よって、引用発明の「サブ制御基板３００」は、本願発明の「演出制御基板」が有する「前記主制御基板からのコマンドにより、遊技状態に応じて前記表示手段の演出画像、前記スピーカの効果音を制御する」に相当する機能を有するものであるといえる。
　
ｃ．引用発明の「中継回路としての出力段部１２０」及び「接続端子１３１，１３２，１３３，１３４」は、「スピーカＳＲ１，ＳＲ２，ＳＷ１，ＳＷ２」へ音声信号を出力するためのものであるから、引用発明と本願発明は、“音声信号中継部を設け、該音声信号中継部にスピーカ用コネクタを設けた”点で共通しているといえる。
　
ｄ．引用発明の「上段に配置された前記接続端子１３１，１３３は、前記スピーカＳＲ１，ＳＲ２にそれぞれ接続され、下段に配置された前記接続端子１３２，１３４は、スピーカＳＷ１，ＳＷ２にそれぞれ接続される」のであるから、引用発明と本願発明は“前記上スピーカ用のハーネスを前記音声信号中継部の上側の前記コネクタに、前記下スピーカ用のハーネスを下側の前記コネクタに夫々接続した”点で共通している。
　
　以上を総合すると、両者は、
「　左右一端側のヒンジにより筐体に開閉自在に装着された前面パネルを備え、該前面パネルの前面の上部に第１表示窓を、該第１表示窓の下側で前記前面パネルの上下中央の上側近傍に該第１表示窓よりも大きい第２表示窓を夫々を配置し、前記前面パネルの上部の前記第１表示窓の左右両側に上スピーカを、前記前面パネルの下部の左右両側に下スピーカを夫々配置し、演出画像を表示する表示手段を表示窓に対応して前記前面パネルの裏面に装着し、前記筐体内に前記表示手段の後方に略対応して主制御基板を備えた遊技機において、
前記主制御基板からのコマンドにより、遊技状態に応じて前記表示手段の演出画像、前記スピーカの効果音を制御する演出制御基板を前記表示手段の裏面に装着し、
音声信号中継部を設け、
該音声信号中継部にスピーカ用コネクタを設け、
前記上スピーカ用のハーネスを前記音声信号中継部の上側の前記コネクタに、前記下スピーカ用のハーネスを前記音声信号中継部の下側の前記コネクタに夫々接続した遊技機。」
の点で一致し、以下の点で相違している。
　
［相違点１］本願発明の「遊技機」は、「演出画像を表示する表示手段を前記第２表示窓に対応して」装着しているのに対し、引用発明の「スロットマシン１００」は、「映像表示部１０３ｄ」を「映像表示部用窓」（本願発明の「第１表示窓」に相当）に対応して装着しており、「透過窓ＷＤ」（本願発明の「第２表示窓」に相当）に対応する位置には「３個の回胴リールＲ１，Ｒ２，Ｒ３」が設けられている点。
　
［相違点２］“音声信号中継部”に関して、本願発明は「前記前面パネルの前記ヒンジ側の一側縁と前記表示手段との間で前記前面パネルの裏面に形成された縦長状の配置部位に、前記演出制御基板の上下幅内に収まる縦長状の中継基板を設け、該中継基板の裏側に、左右方向に配置されたハーネスを介して前記演出制御基板に接続されたコネクタを上下方向の中間に、その上下両側にスピーカ用コネクタを夫々設け」ているのに対し、引用発明の「中継回路としての出力段部１２０」及び「接続端子１３１，１３２，１３３，１３４」は、「サブ制御基板３００」に回路形成されている「サウンド回路」の構成の一部となっており、本願発明の「中継基板」のような構成ではない点。
　
［相違点３］本願発明は、「スピーカ用のハーネス」が、「前記中継基板の上下両側に前記ヒンジ側の一側縁に沿って前記前面パネルの裏面に配置された」ものであるのに対し、引用発明の「接続端子１３１，１３２，１３３，１３４」と「スピーカＳＲ１，ＳＲ２，ＳＷ１，ＳＷ２」とを接続するハーネスの経路及び配置が明らかでない点。
　
３．当審の判断
［相違点１について］
　演出画像を表示する表示手段を２つの表示窓のうちの下の表示窓に対応して前面パネルの裏面に装着する技術は、例えば特開２００５−２７７０７号公報（特に、段落【０２００】及び【図１】）や特開２００５−３２３９３７号公報（特に、段落【００４１】及び【図１】）に記載されるように、遊技機の分野において従来周知の技術（以下「周知技術１」という。）である。
　よって、引用発明の映像表示部１０３ｄ及びその裏面側に取り付けられたサブ制御基板３００を「透過窓ＷＤ」に対応して「中部パネル１０４」の裏面に装着し、相違点１に係る本願発明のような構成とすることは、遊技機の分野における通常の知識を有する者（以下、「当業者」という。）が容易に想到し得る。
　また、引用発明の映像表示部１０３ｄ及びその裏面側に取り付けられたサブ制御基板３００を「透過窓ＷＤ」に対応して「中部パネル１０４」の裏面に装着した場合、それらは回胴リールＲ１，Ｒ２，Ｒ３と比べて薄いため、その表示手段の筐体側にはスペースができる。
　そして、そのスペースに主制御基板７００を配置することは、当業者が適宜実施し得る設計的事項である。
　
［相違点２について］
　スピーカ用の中継基板を遊技機開閉用のヒンジ側に配置すること、及びハーネスを介してサブ制御基板に接続することは、特開２００３−２４５３９７号公報（以下「引用文献Ｂ」という。）又は特開２００２−１１２０１号公報（以下「引用文献Ｃ」という。）に記載されている（特に、引用文献Ｂの段落【０００３】及び【図１１】並びに引用文献Ｃの段落【００１２】及び【図５】を参照）。
　また、裏側にコネクタを有する縦長状の中継基板を用いることは、例えば特開平１１−２９０５２６号公報（特に、段落【００２７】【００２８】及び【図３】）や特開２００１−３２１５２６号公報（特に、段落【００１５】及び【図３】）に記載されるように、遊技機の分野において従来周知の技術（以下「周知技術２」という。）である。
　そして、引用発明、引用文献Ｂ記載の技術及び引用文献Ｃ記載の技術は、いずれも遊技機のスピーカ制御に関するものである点で共通するとともに、遊技機内部における配線を短くすることや錯綜しないようにすることは当業者が通常考慮する事項である。
　よって、引用発明に引用文献Ｂ記載の技術又は引用文献Ｃ記載の技術を適用するとともに周知技術２を合わせて採用し、引用発明の「中継回路としての出力段部１２０」及び「接続端子１３１，１３２，１３３，１３４」をサブ制御基板３００から分離して、裏側にコネクタを有する縦長状の中継基板とするとともに、フロントドア１０１裏面のサブ制御基板３００とフロントドア１０１開閉用ヒンジ側の一側縁との間に配置することは、当業者にとって格別困難なことではない。
　さらに、縦長状の中継基板をそのような配置とした場合、中継基板の横にサブ制御基板３００が存在するとともに、引用発明の接続端子は、上段に配置された接続端子１３１，１３３（スピーカＳＲ１，ＳＲ２用）と、下段に配置された接続端子１３２，１３４（スピーカＳＷ１，ＳＷ２用）よりなっているから、縦長状の中継基板の上側に接続端子１３１，１３３を、下側に接続端子１３２，１３４を設けるとともに、ハーネスを介してサブ制御基板３００に接続されるコネクタを縦長状の中継基板の上下方向の中間に設けるのが最も自然である。
　そうしてみると、引用発明、引用文献Ｂ記載の技術又は引用文献Ｃ記載の技術、及び周知技術２に基づいて、相違点２に係る本願発明のような構成とすることは、当業者が容易に想到し得ることといえる。
　
［相違点３について］
　引用文献Ｂの段落【０００３】には、サブ制御基板とスピーカ中継基板を接続する電線Ｃ３を、扉体２の開閉を妨げないように、該扉体２の開閉側ではなく、ヒンジ連結側に沿って配置する旨記載されている。
　また、引用文献Ｃの段落【００１２】には、スピーカ１２ａ，１２ｂから延びる配線を、前面開閉枠４の上方左右裏面に取り付けられる効果音中継基板１７ａ，１７ｂに一旦接続し、さらに、前面枠３の裏面下部の効果音中継基板９７に接続する旨記載され、かつ、【図１】からみてスピーカ１２ａ及び効果音中継基板１７ａがヒンジ側に近いところに位置していることが分かるので、その配線は少なくとも前面枠３の裏面下部から効果音中継基板１７ａが取り付けられている高さのところまでは、ヒンジ側の一側縁近傍に上下方向に配置されているものと認められる。
　そして、上記［相違点２について］で述べたように、引用発明の「中継回路としての出力段部１２０」及び「接続端子１３１，１３２，１３３，１３４」をサブ制御基板３００から分離して、裏側にコネクタを有する縦長状の中継基板とするとともに、フロントドア１０１裏面のサブ制御基板３００とフロントドア１０１開閉用ヒンジ側の一側縁との間に配置した場合に、縦長状の中継基板の上側に接続端子１３１，１３３を、下側に接続端子１３２，１３４を設けるのが最も自然であるから、接続端子１３１，１３３とスピーカＳＲ１，ＳＲ２とを接続するハーネスは、中継基板の上側にヒンジ側の一側縁に沿って前記フロントドア１０１の裏面に配置され、接続端子１３２，１３４とスピーカＳＷ１，ＳＷ２とを接続するハーネスは、中継基板の下側にヒンジ側の一側縁に沿って前記フロントドア１０１の裏面に配置されるのも、また自然の成り行きである。
　よって、引用発明、引用文献Ｂ記載の技術又は引用文献Ｃ記載の技術、及び周知技術２に基づいて、相違点３に係る本願発明のような構成とすることは、当業者が容易に想到し得ることといえる。
　
［相違点の判断のまとめ］
　本願発明の作用効果も、引用発明、引用文献Ｂ記載の技術及び周知技術１、２から、又は引用発明、引用文献Ｃ記載の技術及び周知技術１、２から当業者が予測できる範囲のものである。
　したがって、本願発明は、引用発明、引用文献Ｂ記載の技術及び周知技術１、２に基づいて、又は引用発明、引用文献Ｃ記載の技術及び周知技術１、２に基づいて、当業者が容易に発明をすることができたものである。
　
第四．むすび
　以上のとおり、本願発明は、引用発明、引用文献Ｂ記載の技術及び周知技術１、２に基づいて、又は引用発明、引用文献Ｃ記載の技術及び周知技術１、２に基づいて、当業者が容易に発明をすることができたものであり、特許法第２９条第２項の規定により特許を受けることができないから、本願は拒絶すべきものである。
　よって、結論のとおり審決する。